(57)【要約】【課題】フィラメント像等の光源像の照射面への現出を効果的に抑制してより均一な照明光を得ることができる反射鏡を提供する。【解決手段】凹状の反射面５０ａを有する略ドーム形の反射鏡本体５０を有し、その後部中心に配置された光源からの光を前記反射面５０ａにより反射させる反射鏡５において、前記反射面５０ａに、横断面形状が凸状または凹状の複数の散光用筋条部１１…を形成し、前記各散光用筋条部１１…は、光軸方向から見て、前記反射面５０ａの内周側５０ｂから外周側に延び、かつ、前記反射面５０ａの径方向に対して交差するように配置する。【選択図】  図２
2008210709.tif 000002
【特許請求の範囲】
【請求項１】
凹状の反射面を有する略ドーム形の反射鏡本体を有し、その後部中心に配置された光源からの光を前記反射面により反射させる反射鏡において、
前記反射面には、横断面形状が凸状または凹状の複数の散光用筋条部が形成されるとともに、
前記各散光用筋条部は、光軸方向から見て、前記反射面の内周側から外周側に延び、かつ、前記反射面の径方向に対して交差するように配置されていることを特徴とする反射鏡。
【請求項２】
前記散光用筋条部は、光軸方向から見て、前記反射面の径方向の任意の直線に対し、異なる角度で交差する複数の前記散光用筋条部が存在するように配置されている請求項１に記載の反射鏡。
【請求項３】
前記各散光用筋条部は、光軸方向から見て曲線状に形成されている請求項１または２に記載の反射鏡。
【請求項４】
請求項１〜３のいずれかに記載の反射鏡を備えていることを特徴とする照明器具。
【発明の詳細な説明】
【技術分野】
【０００１】
この発明は、各種光源の反射用に使用される反射鏡及びこの反射鏡を備えた照明器具に関する。
【背景技術】
【０００２】
一般的な照明器具における反射鏡は、略ドーム状の反射鏡本体の後部中心に配置されたフィラメント電球等の光源からの光を前記反射面により反射させて所定方向へ出射させるようになっている。
【０００３】
このような反射鏡において反射面が単なる鏡面であると、光源がフィラメント電球等の場合には、照射面に光源像としてフィラメント像が現出する傾向がある。
【０００４】
このような光源像の現出を抑制する手段として、従来より、反射鏡の反射面にディンプル模様を形成する方法が提案されている。
【０００５】
また、従来、反射鏡の反射面に多数の縦溝を放射状に配置した技術も提案されている（例えば、特許文献１参照）。
【特許文献１】特開２００１−１０９０６号公報
【発明の開示】
【発明が解決しようとする課題】
【０００６】
しかしながら、このような従来技術によって光源像等の現出を低減することはできるものの、より効果的に抑制するにあたってはさらなる改善が望まれるところである。
【０００７】
また、近年、複数の元素を封入した高輝度放電ランプであるＨＩＤ（High Discharge Lamp)が各種分野で普及しているが、このＨＩＤランプでは、封入元素が比重の違いによって偏在することによって、照射面に色むらが発生する場合がある。このため、ＨＩＤ等を光源とする場合にもより均一な照明光を得ることのできる技術が望まれている。
【０００８】
この発明は、上記実情に鑑みてなされたものであり、光源像の現出等を効果的に抑制してより均一な照明光を得ることができる反射鏡及びこの反射鏡を備えた照明器具を提供することを課題としている。
【課題を解決するための手段】
【０００９】
上記課題は、以下の手段によって解決される。
【００１０】
［１］凹状の反射面を有する略ドーム形の反射鏡本体を有し、その後部中心に配置された光源からの光を前記反射面により反射させる反射鏡において、
前記反射面には、横断面形状が凸状または凹状の複数の散光用筋条部が形成されるとともに、
前記各散光用筋条部は、光軸方向から見て、前記反射面の内周側から外周側に延び、かつ、前記反射面の径方向に対して交差するように配置されていることを特徴とする反射鏡。
【００１１】
［２］前記散光用筋条部は、光軸方向から見て、前記反射面の径方向の任意の直線に対し、異なる角度で交差する複数の前記散光用筋条部が存在するように配置されている前項１に記載の反射鏡。
【００１２】
［３］前記各散光用筋条部は、光軸方向から見て曲線状に形成されている前項１または２に記載の反射鏡。
【００１３】
［４］前項１〜３のいずれかに記載の反射鏡を備えていることを特徴とする照明器具。
【発明の効果】
【００１４】
前項［１］の発明によれば、光源から反射面に向かう光は、複数の散光用筋条部によって反射されるが、各散光用筋条部の横断面形状が凸状または凹状であるから、各散光用筋条部の幅方向の各位置で光の反射方向が異なる。さらに、このような各散光用筋条部は、光軸方向から見て反射面の径方向に対して交差するように配置されているため、各散光用筋条部に到達した光は、反射面の径方向に対して斜めにねじれた方向に反射することになる。これにより光源から各方向に出射された光をそれぞれ反射鏡による光照射面の全域に散光させることができる。したがって、例えば、フィラメント像等の光源像の現出を効果的に抑制してより均一な照明光を得ることができる。また、光出射方向によって色が異なる高輝度放電ランプを光源に適用した場合でも、光照射面における光の色ムラの発生を低減することができる。
【００１５】
前項［２］の発明によれば、反射面の径方向の任意の直線に対し、複数の散光用筋条部が異なる角度で交差するため、光源から任意の径方向に出射した光が交差角度の異なる複数の散光用筋条部に到達してそれぞれ異なる方向に反射される。このため、より一層光源像の現出を効果的に抑制してより均一な照明光を得ることができる。また、光出射方向によって色が異なる高輝度放電ランプを光源に適用した場合でも、光照射面における光の色ムラの発生をより一層低減することができる。
【００１６】
前項［３］の発明によれば、各散光用筋条部を曲線状に形成するため、その全体曲率や、径方向位置毎での曲率を適宜設定することにより、好適な散光状態を容易に実現することができる。
【００１７】
前項［４］の発明によれば、光源像の現出等を効果的に抑制してより均一な照明光を得ることができる照明器具を提供することができる。
【発明を実施するための最良の形態】
【００１８】
以下、この発明の実施形態を図面に基づいて説明する。
【００１９】
図１は、この発明の実施形態に係る反射鏡を備えた照明器具を示す一部破断側面図である。
【００２０】
図１において、この照明器具は、器具本体１の後端部１ａが、基台２上に立設された支持体３の上端部３ａに軸体３ｂを介して首振り可能に支持されている。
【００２１】
この器具本体１の前部１ｂは照明部ケースとして構成されており、光源４を保持するソケット（図示せず）、光源４からの光を反射させて所定方向へ出射させる反射鏡５などが収容されている。
【００２２】
なお、前部１ｂの開口端部には、前面ガラス保持用のキャップ６が着脱可能に装着されている。
【００２３】
前記反射鏡５における本体５０は、凹状の反射面５０ａが、例えば光軸を含む断面形状が放物線形状の略ドーム形に成形されており、その後端部５０ｂは前記光源４のソケットへの装着を妨げないように筒孔部で構成されている。
【００２４】
なお、反射鏡本体５０は、反射面５０ａの形状は、放物線形状の断面に限らず、断面形状が楕円形状の略ドーム形等であってもよい。
【００２５】
また、このような反射鏡本体５０は、たとえばガラス材料から形成することができるが、これに限らず、例えばアルミニウムなどの金属や合成樹脂等から構成しても良い。
【００２６】
この反射鏡本体５０の反射面５０ａには、図２〜図４に示すように、横断面形状が凸状の、例えば連続的な曲面からなる凸曲面状の複数の散光用筋条部１１…が形成されている。
【００２７】
これら散光用筋条部１１…は、光軸方向から見て、それぞれ反射面５０ａの内周側（反射鏡５の後端側）５０ｂから外周側（反射鏡５の前縁側）まで延びるように配置されている。
【００２８】
また、各散光用筋条部１１…は、光軸方向から見たとき、反射面５０ａの内周側５０ｂでは反射面５０ａの径方向にほぼ平行で、外周側に向かうにつれて径方向に対する傾斜角度が大きくなる連続的な曲線状に形成されている。
【００２９】
各散光用筋条部１１…は、このような形状に形成されることで、光軸方向から見て、反射面５０ａの周方向について所定の角度範囲に属する径方向の直線と交差するようになっている。
【００３０】
また、このような散光用筋条部１１…が、反射面５０ａの全周方向において、光軸を取り囲むように多数配置されていることで、図５に示すように、反射面５０ａの径方向の任意の直線Ｌに対し、異なる角度で交差する複数の散光用筋条部１１…が存在するようになっている。
【００３１】
なお、本明細書において、直線Ｌと散光用筋条部１１…の交差角度とは、散光用筋条部１１…の稜線または隣接する散光用筋条部１１，１１間の境界線（谷線）が直線Ｌと交差する部位における、前記稜線または境界線の接線と直線Ｌとのなす角度をいうものとする。
【００３２】
このような構成における照明器具においては、光源４からの光が反射鏡５の反射面５０ａに到達し、各散光用筋条部１１…の表面において反射して、所定方向へ出射される。
【００３３】
このとき各散光用筋条部１１…は横断面形状が凸状であるから、各筋条部１１…の幅方向の各位置に入射した光はそれぞれ異なる角度で反射して出射する。
【００３４】
とくに、各散光用筋状部１１…の横断面形状は、連続的に傾斜角度が変化する曲面状に形成されているから、幅方向の各位置に入射した光はその位置の僅かな違いに応じて連続的に異なる角度で反射して出射する。
【００３５】
さらに、このような各散光用筋条部１１…は、光軸方向から見て反射面５０ａの径方向に対して交差するように配置されているため、各散光用筋条部１１…に到達した光は、反射面５０ａの径方向に対して斜めにねじれた方向に反射することになる。
【００３６】
さらにまた、このような散光用筋状部１１…は、反射面５０ａの径方向の任意の直線に対し、複数の散光用筋条部１１…が異なる角度で交差するように配置されているため、光源４から任意の径方向に出射した光が、交差角度の異なる複数の散光用筋条部１１…に到達してそれぞれ異なる方向に反射されることになる。
【００３７】
すなわち、図５に示すように、前記光源４からの光のうち、ある径方向の仮想線Ｌ上を進む光に着目すると、仮想線Ｌに対して異なる角度で交差する散光用筋条部１１毎に、光の入射方向である仮想線Ｌと散光用筋条部１１…との交差角度に応じた様々な方向へ出射することになる。
【００３８】
以上の作用が相俟って、本実施形態によれば、光源４から各方向に出射された光をそれぞれ反射鏡５０による光照射面の全域に散光させることができる。
【００３９】
したがって、例えば、フィラメント像等の光源像の現出を効果的に抑制してより均一な照明光を得ることができる。
【００４０】
また、光源４として、例えば、光出射方向によって色が異なる高輝度放電ランプを使用した場合でも、封入原子の比重の違いによって出射方向で色が異なって現れるのが前記散光によって効果的に抑制されることになり、光照射面における光の色ムラの発生を低減して、違和感のない照明光を得ることができる。
【００４１】
また、この実施形態では、各散光用筋条部１１…を曲線状に形成したため、その全体曲率や、径方向位置毎での曲率を適宜設定することにより、好適な散光状態を容易に実現することができる。
【００４２】
なお、前記散光用筋条部１１は、横断面形状が凸状のものに限られるものではなく、図６に示すように、横断面形状が凹状の散光用筋条部２１…であっても上記と同様の効果を奏するものである。
【００４３】
また、前記散光筋条部１１の横断面形状は、曲面状でなく、三角形状等、横断面形状が直線状の辺を有する形状から構成したり、あるいは直線状の部位を有する形状から構成してもよい。
【００４４】
また、前記実施形態では、反射面５０ａの径方向に対して交差するように曲線状に傾斜した散光用筋条部１１…を反射面５０ａの外側ほど径方向に対する傾斜角度が大きくなる曲線状に形成したが、曲率を一定としても、あるいは反射面５０ａの内側ほど傾斜角度が大きくなる曲線状（渦巻き状）に形成しても良い。
【００４５】
さらに散光用筋条部１１…は、反射面５０ａの径方向に対して交差しているならば、曲線状のものに限らず、例えば図７に示すように、直線状の散光用筋条部３１…として構成してもよい。
【図面の簡単な説明】
【００４６】
【図１】この発明の実施形態に係る反射鏡が適用された照明器具を示す一部破断側面図である。
【図２】同反射鏡を示す正面図である。
【図３】図１のＡ−Ａ線に沿った反射鏡の断面図である。
【図４】反射鏡の反射面における複数の散光用筋条部を示す斜視図である。
【図５】反射面における、ある径方向の仮想線Ｌ上で入射する光と各散光用筋条部との交差角度の違いの説明図である。
【図６】散光用筋条部の横断面形状の他の例を示す斜視図である。
【図７】散光用筋条部の他の例を示す反射鏡の一部の正面図である。
【符号の説明】
【００４７】
４  光源
５  反射鏡
１１，２１，３１  散光用筋条部
５０  反射鏡本体
５０ａ  反射面
【図１】
2008210709.tif 000003
【図２】
2008210709.tif 000004
【図３】
2008210709.tif 000005
【図４】
2008210709.tif 000006
【図５】
2008210709.tif 000007
【図６】
2008210709.tif 000008
【図７】
2008210709.tif 000009